(57)【要約】【課題】携帯端末から出力されることによって漏洩する可能性のある情報を、ユーザが容易に確認でき、情報漏洩を抑止する携帯端末を提供する。【解決手段】閲覧端末では、機密コンテンツと機密でないコンテンツとを閲覧できる。コンテンツ一覧表１０１には、メモリカードに記憶されているコンテンツ名が一覧表示され、機密コンテンツの右には「機密」の文字が印刷される。ユーザは、機密コンテンを容易に認識できる。取得後に、コンテンツ一覧表１０１を印刷していない場合には、新たに取得したコンテンツのうち、機密コンテンツを表示部に表示させない。つまり、コンテンツ取得後、ユーザの機密コンテンツを認識後でないと、閲覧端末に機密コンテンツを表示しない。よって、機密コンテンツの機密が保持される。ユーザは、閲覧端末を持ち出す際には、コンテンツ一覧表１０１で機密コンテンツを確認して、機密漏洩の防止を心がけられる。【選択図】図２
2009059093.tif 000002
【特許請求の範囲】
【請求項１】
文字、画像及び音声のうちの少なくとも１つで構成されるコンテンツを記憶するコンテンツ記憶手段と、前記コンテンツ記憶手段に記憶されているコンテンツを出力する出力手段とを備えた携帯端末であって、
前記コンテンツ記憶手段に記憶されているコンテンツごとに、前記出力手段による当該コンテンツの出力を許可するか否かを示した可否情報を記憶する可否情報記憶手段と、
前記コンテンツ記憶手段に記憶されているコンテンツの出力指示を受け付ける出力指示受付手段と、
前記出力指示受付手段によりコンテンツの出力指示を受け付けた場合、前記可否情報記憶手段に記憶されている当該コンテンツの前記可否情報が出力許可であるときのみ、前記出力手段により当該コンテンツを出力させる出力制御手段と、
新規のコンテンツを取得する新規コンテンツ取得手段と、
前記新規コンテンツ取得手段により取得した新規コンテンツを前記コンテンツ記憶手段に記憶させる新規コンテンツ記憶制御手段と、
前記新規コンテンツ取得手段により取得された新規コンテンツが出力不可であることを示す可否情報を前記可否情報記憶手段に記憶させる可否情報記憶制御手段と、
前記コンテンツ記憶手段に記憶されているコンテンツを識別する識別情報の一覧を示した一覧表を印刷させる印刷要求を出力する印刷要求出力手段と、
前記印刷要求出力手段による前記印刷要求の出力により前記一覧表が印刷された場合に、当該一覧表に前記識別情報が印刷された新規コンテンツの前記可否情報を、出力許可に変更する可否情報変更手段とを備えたことを特徴とする携帯端末。
【請求項２】
前記コンテンツ記憶手段に記憶されたコンテンツ毎にそのコンテンツが機密であるか否かを示す機密指定情報を記憶する機密指定情報記憶手段を備え、
前記新規コンテンツ取得手段は、新規コンテンツとともに当該新規コンテンツの機密指定情報を取得し、
前記不可情報記憶制御手段は、前記新規コンテンツ取得手段により取得された新規コンテンツが機密でない場合は、当該新規コンテンツが出力許可であることを示す可否情報を前記可否情報記憶手段に記憶させ、前記新規コンテンツ取得手段により取得された新規コンテンツが機密である場合は、当該新規コンテンツが出力不可であることを示す可否情報を前記可否情報記憶手段に記憶させ、
当該携帯端末は、さらに、
前記新規コンテンツ取得手段により取得した新規コンテンツの機密指定情報を前記機密指定情報記憶手段に記憶させる機密指定情報記憶制御手段を備え
前記印刷要求出力手段は、前記コンテンツ記憶手段に記憶されているコンテンツを識別する識別情報及び前記機密指定情報に記憶されている当該コンテンツの機密指定情報の一覧を示した一覧表を印刷させる印刷要求を出力することを特徴とする請求項１に記載の携帯端末。
【請求項３】
前記一覧表に対して通し番号を割り当てる通し番号割当手段を備え、
前記印刷要求出力手段は、前記通し番号割当手段により割り当てられた前記通し番号を付した一覧表を印字させる印刷要求を出力することを特徴とする請求項１又は２に記載の携帯端末。
【請求項４】
前記通し番号割当手段により割り当てられた前記通し番号のうちの最後の通し番号を記憶する通し番号記憶手段と、
前記通し番号記憶手段に記憶されている最後の通し番号である最終通し番号を出力する最終通し番号出力手段とを備えたことを特徴とする請求項３に記載の携帯端末。
【請求項５】
前記最終通し番号出力手段は画像を表示する表示手段であり、前記最終通し番号は前記表示手段に表示されていることを特徴とする請求項４に記載の携帯端末。
【請求項６】
前記機密指定情報記憶手段に機密であることを示した前記機密指定情報が一つも記憶されていない場合には、前記一覧表出力手段により前記一覧表の前記印刷要求を出力させない出力制御手段とを備えたことを特徴とする請求項２乃至５のいずれかに記載の携帯端末。
【請求項７】
前記一覧表に対して一覧表識別情報を割り当てる一覧表識別情報割当手段と、
前記一覧表識別情報割当手段により割り当てられた前記一覧表識別情報を記憶する一覧表識別情報記憶手段とを備え、
前記印刷要求出力手段は、前記一覧表識別情報記憶手段に記憶されている前記一覧表識別情報を付した一覧表を印字させる印刷要求を出力し、
さらに、
前記一覧表の存在を確認するための前記一覧表識別情報を入力する一覧表識別情報入力手段と、
前記印刷要求出力手段の前記一覧表の前記印刷要求の出力により前記印刷装置により印刷された一覧表印刷結果の存在を、前記一覧識別情報入力手段により入力された一覧識別情報と前記一覧識別情報記憶手段に記憶されている一覧識別情報とが一致することにより確認する確認手段と、
前記確認手段により前記一覧表印刷結果の存在が確認できなかった場合には、前記コンテンツ記憶手段に記憶されているコンテンツに対して、前記可否情報記憶手段に記憶されている前記可否情報が出力不可となるように制御し、前記確認手段により前記一覧表印刷結果の存在が確認できた場合には、前記コンテンツ記憶手段に記憶されているコンテンツに対して、前記可否情報記憶手段に記憶されている前記可否情報が出力可となるように制御する可否制御手段とを備えたことを特徴とする請求項１乃至６のいずれかに記載の携帯端末。
【請求項８】
前記機密指定情報記憶手段に記憶された前記機密指定情報を機密でないことを示す情報から機密であることを示す情報に変更するときにのみ前記機密指定情報を変更する機密指定情報変更手段を備えることを特徴とする請求項２乃至７のいずれかに記載の携帯端末。
【請求項９】
印刷装置に接続する印刷装置接続手段を備え、
前記印刷要求出力手段は、前記印刷装置へ前記印刷要求を出力することを特徴とする請求項１乃至８のいずれかに記載の携帯端末。
【請求項１０】
印刷装置に接続可能な外部端末に接続する端末接続手段を備え、
前記印刷要求出力手段は、前記外部端末へ前記印刷要求を出力することを特徴とする請求項１乃至９のいずれかに記載の携帯端末。
【請求項１１】
請求項１乃至１０のいずれかに記載の携帯端末の各種処理手段としてコンピュータを動作させることを特徴とする携帯端末プログラム。
【発明の詳細な説明】
【技術分野】
【０００１】
本発明は、携帯端末及び携帯端末プログラムに関するものであり、詳細には、携帯可能なコンテンツの漏洩を抑止する携帯端末及び携帯端末プログラムに関するものである。
【背景技術】
【０００２】
従来、文書や画像を閲覧したり、音楽を聴いたりする携帯型の端末が用いられている。例えば、特許文献１には片手で挟み持つことが可能な電子書籍が提案されている。このような、携帯型の端末として電子書籍の他に、例えば、音楽プレーヤ、録音再生機、デジタルカメラ、デジタルビデオカメラ、携帯電話、ＰＤＡ（personal digital assistant）がある。これらの携帯端末は、オフィスの中で固定されて使用される端末とは異なり、様々な場所に携帯できて便利である。よって、これらの携帯端末は、保管場所から様々な場所に不用意に持ち出される可能性があり、情報が漏洩する危険も多い。予めユーザがどのような情報が入っているかを確認できれば、入っている情報によっては、外部に持ち出さないようにもできるし、どうしても持ち出したい場合は情報が漏洩しないように慎重に携帯端末を扱うこともできる。
【特許文献１】特開２００５−２４２４３６号公報
【発明の開示】
【発明が解決しようとする課題】
【０００３】
しかしながら、特許文献１に記載の発明の電子書籍のように従来の携帯端末では、携帯端末にどのようなコンテンツが記憶されているのかを容易に把握することはできなかった。例えば、携帯端末の電源をいれ、携帯端末内に記憶されているコンテンツのリストを携帯端末のディスプレイに表示させれば確認することもできるが、携帯端末を持ち出すときに毎回そのような操作を行なうのは煩わしい。携帯端末内のコンテンツのリストをユーザが紙にメモをとりそのメモと携帯端末とを同じ場所に保管しておけば、携帯端末を持ち出す際にわざわざ携帯端末の電源を入れて記憶されているコンテンツの内容を確認する手間を省くことはできる。しかし、携帯端末に記憶するコンテンツが増えるたびにユーザはリストのメモを取り直す必要があり、それも面倒である。したがって、どのようなコンテンツを持ち出しているのか認識されないまま携帯端末が持ち出され、コンテンツを情報漏洩の危機に晒しているという問題点があった。
【０００４】
本発明は、上述の問題点を解決するためになされたものであり、携帯端末から出力されることによって漏洩する可能性のある情報を、ユーザが容易に確認でき、情報漏洩を抑止する携帯端末及び携帯端末プログラムを提供することを目的とする。
【課題を解決するための手段】
【０００５】
上記課題を解決するため、請求項１に係る発明の携帯端末では、文字、画像及び音声のうちの少なくとも１つで構成されるコンテンツを記憶するコンテンツ記憶手段と、前記コンテンツ記憶手段に記憶されているコンテンツを出力する出力手段とを備えた携帯端末であって、前記コンテンツ記憶手段に記憶されているコンテンツごとに、前記出力手段による当該コンテンツの出力を許可するか否かを示した可否情報を記憶する可否情報記憶手段と、前記コンテンツ記憶手段に記憶されているコンテンツの出力指示を受け付ける出力指示受付手段と、前記出力指示受付手段によりコンテンツの出力指示を受け付けた場合、前記可否情報記憶手段に記憶されている当該コンテンツの前記可否情報が出力許可であるときのみ、前記出力手段により当該コンテンツを出力させる出力制御手段と、新規のコンテンツを取得する新規コンテンツ取得手段と、前記新規コンテンツ取得手段により取得した新規コンテンツを前記コンテンツ記憶手段に記憶させる新規コンテンツ記憶制御手段と、前記新規コンテンツ取得手段により取得された新規コンテンツが出力不可であることを示す可否情報を前記可否情報記憶手段に記憶させる可否情報記憶制御手段と、前記コンテンツ記憶手段に記憶されているコンテンツを識別する識別情報の一覧を示した一覧表を印刷させる印刷要求を出力する印刷要求出力手段と、前記印刷要求出力手段による前記印刷要求の出力により前記一覧表が印刷された場合に、当該一覧表に前記識別情報が印刷されたコンテンツの前記可否情報を、出力許可に変更する可否情報変更手段とを備えている。
【０００６】
また、請求項２に係る発明の携帯端末では、請求項１に記載の発明の構成に加えて、前記コンテンツ記憶手段に記憶されたコンテンツ毎にそのコンテンツが機密であるか否かを示す機密指定情報を記憶する機密指定情報記憶手段を備え、前記新規コンテンツ取得手段は、新規コンテンツとともに当該新規コンテンツの機密指定情報を取得し、前記不可情報記憶制御手段は、前記新規コンテンツ取得手段により取得された新規コンテンツが機密でない場合は、当該新規コンテンツが出力許可であることを示す可否情報を前記可否情報記憶手段に記憶させ、前記新規コンテンツ取得手段により取得された新規コンテンツが機密である場合は、当該新規コンテンツが出力不可であることを示す可否情報を前記可否情報記憶手段に記憶させ、当該携帯端末は、さらに、前記新規コンテンツ取得手段により取得した新規コンテンツの機密指定情報を前記機密指定情報記憶手段に記憶させる機密指定情報記憶制御手段を備え前記印刷要求出力手段は、前記コンテンツ記憶手段に記憶されているコンテンツを識別する識別情報及び前記機密指定情報に記憶されている当該コンテンツの機密指定情報の一覧を示した一覧表を印刷させる印刷要求を出力することを特徴とする。
【０００７】
また、請求項３に係る発明の携帯端末では、請求項１又は２に記載の発明の構成に加えて、前記一覧表に対して通し番号を割り当てる通し番号割当手段を備え、前記印刷要求出力手段は、前記通し番号割当手段により割り当てられた前記通し番号を付した一覧表を印字させる印刷要求を出力することを特徴とする。
【０００８】
また、請求項４に係る発明の携帯端末では、請求項３に記載の発明の構成に加えて、前記通し番号割当手段により割り当てられた前記通し番号のうちの最後の通し番号を記憶する通し番号記憶手段と、前記通し番号記憶手段に記憶されている最後の通し番号である最終通し番号を出力する最終通し番号出力手段とを備えている。
【０００９】
また、請求項５に係る発明の携帯端末では、請求項４に記載の発明の構成に加えて、前記最終通し番号出力手段は画像を表示する表示手段であり、前記最終通し番号は前記表示手段に表示されていることを特徴とする。
【００１０】
また、請求項６に係る発明の携帯端末では、請求項２乃至５のいずれかに記載の発明の構成に加えて、前記機密指定情報記憶手段に機密であることを示した前記機密指定情報が一つも記憶されていない場合には、前記一覧表出力手段により前記一覧表の前記印刷要求を出力させない出力制御手段とを備えている。
【００１１】
また、請求項７に係る発明の携帯端末では、請求項１乃至６のいずれかに記載の発明の構成に加えて、  前記一覧表に対して一覧表識別情報を割り当てる一覧表識別情報割当手段と、前記一覧表識別情報割当手段により割り当てられた前記一覧表識別情報を記憶する一覧表識別情報記憶手段とを備え、前記印刷要求出力手段は、前記一覧表識別情報記憶手段に記憶されている前記一覧表識別情報を付した一覧表を印字させる印刷要求を出力し、当該携帯端末は、さらに、前記一覧表の存在を確認するための前記一覧表識別情報を入力する一覧表識別情報入力手段と、前記印刷要求出力手段の前記一覧表の前記印刷要求の出力により前記印刷装置により印刷された一覧表印刷結果の存在を、前記一覧識別情報入力手段により入力された一覧識別情報と前記一覧識別情報記憶手段に記憶されている一覧識別情報とが一致することにより確認する確認手段と、前記確認手段により前記一覧表印刷結果の存在が確認できなかった場合には、前記コンテンツ記憶手段に記憶されているコンテンツに対して、前記可否情報記憶手段に記憶されている前記可否情報が出力不可となるように制御し、前記確認手段により前記一覧表印刷結果の存在が確認できた場合には、前記コンテンツ記憶手段に記憶されているコンテンツに対して、前記可否情報記憶手段に記憶されている前記可否情報が出力可となるように制御する可否制御手段とを備えている。
【００１２】
また、請求項８に係る発明の携帯端末では、請求項２乃至７のいずれかに記載の発明の構成に加えて、前記機密指定情報記憶手段に記憶された前記機密指定情報を機密でないことを示す情報から機密であることを示す情報に変更するときにのみ前記機密指定情報を変更する機密指定情報変更手段を備えることを特徴とする。
【００１３】
また、請求項９に係る発明の携帯端末では、請求項１乃至８のいずれかに記載の発明の構成に加えて、印刷装置に接続する印刷装置接続手段を備え、前記印刷要求出力手段は、前記印刷装置へ前記印刷要求を出力することを特徴とする。
【００１４】
また、請求項１０に係る発明の携帯端末では、請求項１乃至９のいずれかに記載の発明の構成に加えて、印刷装置に接続可能な外部端末に接続する端末接続手段を備え、前記印刷要求出力手段は、前記外部端末へ前記印刷要求を出力することを特徴とする。
【００１５】
また、請求項１１に係る発明の携帯端末プログラムでは、請求項１乃至１０のいずれかに記載の携帯端末の各種処理手段としてコンピュータを動作させることを特徴とする。
【発明の効果】
【００１６】
請求項１に係る発明の携帯端末では、コンテンツに対して、そのコンテンツの出力を許可するか否かを示す可否情報が記憶されている。そして、可否情報が出力不可を示している場合には、コンテンツは出力されない。そして、初期状態では、コンテンツは、可否情報が出力不可とされている。そこで、携帯端末のコンテンツ記憶手段に記憶されているコンテンツを識別する識別情報の一覧を示した一覧表が出力されるとコンテンツの可否情報が出力許可に変更される。したがって、ユーザは一覧表が印刷されるまではコンテンツを閲覧することができない。ユーザは、一覧表を印刷すれば、この携帯端末にどのようなコンテンツが記憶されているかを把握することができ、どのようなコンテンツが記憶されているのか把握することができる。よって、ユーザが携帯端末を持ち出す場合に、どのようなコンテンツを持ち出そうとしているのかを一覧表で把握することができる。したがって、持ち出した携帯端末の管理に気を付けたり、今回の持ち出しに必要のないコンテンツは削除してから携帯端末を持ち出すようにしたりと、情報漏洩防止の対処がしやすくなり、さらには、情報漏洩が抑制される。
【００１７】
また、請求項２に係る発明の携帯端末では、コンテンツに対して、そのコンテンツが機密であるか否かを示す機密指定情報が設定されている。よって、請求項１に記載の発明の効果に加えて、機密でないコンテンツは一覧表を印刷しなくても、出力させることができる。さらに、一覧表には機密指定情報も印刷されているので、ユーザは一覧表によりどのコンテンツが機密コンテンツであるかを把握することができる。よって、ユーザが携帯端末を持ち出す場合に、どのような機密のコンテンツを持ち出そうとしているのかを一覧表で把握することができる。したがって、持ち出した携帯端末の管理に気を付けたり、今回の持ち出しに必要のない機密のコンテンツは削除してから携帯端末を持ち出すようにしたりと、情報漏洩防止の対処がしやすくなり、さらには、情報漏洩が抑制される。
【００１８】
また、請求項３に係る発明の携帯端末では、請求項１又は２に記載の発明の効果に加えて、一覧表に通し番号が印刷されているので、印刷された一覧表を管理しやすい。
【００１９】
また、請求項４に係る発明の携帯端末では、請求項３に記載の発明の効果に加えて、最新の一覧表の通し番号を最終通し番号として確認できるので、印刷された複数の一覧表のうち最新の一覧表を簡単に確認できる。
【００２０】
また、請求項５に係る発明の携帯端末では、請求項４に記載の発明の効果に加えて、携帯端末の表示手段に最終通し番号が表示されているので、印刷された一覧表が最新のものであるかをいつでも確認できる。
【００２１】
また、請求項６に係る発明の携帯端末では、請求項２乃至５のいずれかに記載の発明の効果に加えて、機密のコンテンツが１つもない場合には一覧表を印刷するための印刷要求が出力されず、一覧表は印刷されない。一覧表は機密のコンテンツをユーザに把握させ、情報漏洩を抑止することが目的であるので、機密のコンテンツがない場合に一覧表が印刷されなければ、印刷用紙の無駄を防ぐことができる。
【００２２】
また、請求項７に係る発明の携帯端末では、請求項１乃至６のいずれかに記載の発明の効果に加えて、ユーザが入力した一覧表識別情報と、記憶されている一覧表識別情報とが一致するか否かにより一覧表印刷結果の存在を確認することができる。一覧表印刷結果の存在が確認できない場合には、コンテンツの可否情報を出力不可とすることができる、よって、一覧表印刷結果の存在の確認の際には必ず一覧表印刷結果を見ることになる。その際にユーザは一覧表を見てどのようなコンテンツが記憶されているかを把握することになるので、ユーザに情報漏洩防止への注意を喚起することができる。
【００２３】
また、請求項８に係る発明の携帯端末では、請求項２乃至７のいずれかに記載の発明の効果に加えて、機密でないコンテンツを機密に変更することはできるが、機密のコンテンツを機密でないコンテンツに変更することはできない。よって、コンテンツのセキュリティ程度を上げることはできるが、下げることはできない。よって、携帯端末のユーザの意思により、機密に変更することにより、情報漏洩の抑止力を向上させることができる。
【００２４】
また、請求項９に係る発明の携帯端末では、請求項１乃至８のいずれかに記載の発明の効果に加えて、直接印刷装置に接続して、一覧表を印刷することができる。よって、印刷要求を出力してすぐに印刷結果を印刷装置から取得することができるので、必ず一覧表がユーザの目に止まる。
【００２５】
また、請求項１０に係る発明の携帯端末では、請求項１乃至９のいずれかに記載の発明の効果に加えて、携帯端末が直接印刷装置に接続できなくても、外部装置を介して一覧表を印刷することができる。よって、携帯端末は、印刷装置に接続するための機能を備える必要がない。
【００２６】
また、請求項１１に係る発明の携帯端末プログラムでは、請求項１乃至１０のいずれかに記載の携帯端末と同様の効果を奏することができる。
【発明を実施するための最良の形態】
【００２７】
以下、本発明の実施の形態について図面を参照して説明する。まず、図１乃至図４を参照して、「携帯端末」である本実施の形態での閲覧端末１について説明する。図１は、閲覧端末１の運用方法を説明するための模式図であり、図２は、コンテンツ一覧表１０１の模式図である。図３は、閲覧端末１の正面図であり、図４は、閲覧端末１の電気的構成を示す模式図である。
【００２８】
本実施の形態の閲覧端末１は、パーソナルコンピュータ（ＰＣ）２に接続して、閲覧端末１で閲覧するコンテンツを取得する。ＰＣ２から取得したコンテンツは、閲覧端末１にセットされたメモリカード１９（図４参照）に記憶される。なお、本実施の形態のコンテンツとして、文字列からなる文書を扱うものとする。閲覧端末１では、ＰＣ２から取得し、メモリカード１９に記憶されたコンテンツを表示部１５（図３，４参照）で閲覧することができる。そして、閲覧端末１は印刷装置３に接続し、コンテンツの内容やコンテンツ一覧表１００を印刷することができる。
【００２９】
ここで、図２に示すコンテンツ一覧表１００の一例であるコンテンツ一覧表１０１を参照して、コンテンツ一覧表１００について説明する。コンテンツ一覧表１００には、メモリカード１９に記憶されているコンテンツの名前（コンテンツ名）が一覧表示される。本実施の形態では、メモリカード１９のコンテンツ情報記憶エリア１９１（図５乃至図７参照）には、フォルダが設定され、フォルダ毎にコンテンツが仕分けて記憶されている。そこで、図２に示すように、コンテンツ一覧表１０１では、フォルダ毎にコンテンツ名が印刷されている。さらに、本実施の形態では、コンテンツが「機密」であるか否かの情報がコンテンツ毎に記憶されている（図６，図７参照）。そして、コンテンツ一覧表１０１では、機密のコンテンツには、コンテンツ名の右側に「機密」の文字が印刷されている。よって、ユーザが、どのコンテンツが「機密」であるかを容易に認識できる。以下、「機密」のコンテンツを「機密コンテンツ」という。
【００３０】
さらに、閲覧端末１では、ＰＣ２からコンテンツを取得した後に、コンテンツ一覧表１００を印刷していない場合には、新たに取得したコンテンツのうち、機密コンテンツを表示部１５に表示させることはできない。つまり、ＰＣ２から取得後、コンテンツ一覧表１００により、ユーザが、コンテンツが「機密」であることを認識した後でないと、閲覧端末１でその機密コンテンツを閲覧できない。これにより、ユーザが、コンテンツ一覧表１００で機密コンテンツであることを確認していない機密コンテンツは、閲覧端末１に表示されないので、機密が保持される。また、コンテンツ一覧表１００が印刷された場合には、ユーザに閲覧端末１に機密コンテンツがあることを認識させられるので、ユーザは、閲覧端末１を携帯する際に、機密コンテンツを持ち歩いているという意識を持つことができる。よって、例えば、機密コンテンツを閲覧する際には他人に見られないようにしたり、置き忘れないように普段以上に注意したりすることができる。そこで、本実施の形態では、閲覧端末１の利用方法として、閲覧端末１と最新のコンテンツ一覧表１００をセットにして管理する。そして、ユーザは、閲覧端末１を持ち出す際には、最新のコンテンツ一覧表１００で機密コンテンツを確認して、機密漏洩の防止を心がける。
【００３１】
また、コンテンツ一覧表１０１には、コンテンツ一覧表１００の印刷回数が表示されている。図２に示す例では、２行目に「印刷回数  ３回」と記載されている。また、閲覧端末１の表示部１５の右下にはコンテンツ一覧表１００の印刷回数が常に表示されている。図３に示す例では、コンテンツ一覧画面１５１が表示されており、右下には「コンテンツ一覧表印刷回数  ３回」と表示されている。このように、閲覧端末１には常にコンテンツ一覧表１００の印刷回数が表示されているので、閲覧端末１とセットにして保管されているコンテンツ一覧表１００が最新のものであるか否かを簡単に判断することができる。
【００３２】
次に、図３を参照して、閲覧端末１の外観について説明する。図２に示すように、閲覧端末１の正面の大部分には、略長方形の表示部１５が設けられている。そして、下部の中央には十字キー１６５が設けられている。この十字キー１６５は、十字の形状をしており、上の凸部が押下されると上指定の指示が入力され、下の凸部が押下されると下指定の指示が入力され、右の凸部が押下されると右指定の指示が入力され、左の凸部が押下されると左指定の指示が入力される。さらに、十字キー１６５の右には決定キー１６１及び一覧印刷キー１６２が設けられている。決定キー１６１は、表示部１５においてカーソルが存在する位置の選択項目の選択を決定する指示を入力し、一覧印刷キー１６２は、コンテンツ一覧表１００の印刷の指示を入力する。さらに、十字キー１６５の左側には、一覧表示キー１６３及び機密変更キー１６４が設けられている。一覧表示キー１６３は、コンテンツ一覧画面１５１を表示させる指示を入力し、機密変更キー１６４は、コンテンツを「機密」とする設定を行う指示を入力する。なお、決定キー１６１、一覧印刷キー、一覧表示キー１６３、機密変更キー１６４、十字キー１６５をまとめて操作キー１６という。
【００３３】
次に、図４を参照して、閲覧端末１の電気的構成について説明する。閲覧端末１の制御を司るＣＰＵ１０が設けられ、ＣＰＵ１０には、閲覧端末１を動作させるための閲覧プログラム等を記憶したＲＯＭ１１と、各種のデータを一時的に記憶するＲＡＭ１２と、各種データを記憶したＥＥＰＲＯＭ１３と、表示部１５の制御を行う表示コントローラ１４と、ユーザによる入力を受け付ける操作キー１６と、他の機器（本実施の形態ではＰＣ２と印刷装置３）と接続するためのＵＳＢコントローラ１７と、メモリカード１９を接続するためのメモリカードコントローラ１８とがバスを介して接続されている。
【００３４】
次に、図５を参照して、メモリカード１９に設けられている記憶エリアについて説明する。図５は、メモリカード１９に設けられている記憶エリアを示すの模式図である。の図５に示すように、メモリカード１９には、コンテンツ情報記憶エリア１９１、機密管理情報記憶エリア１９２、ＩＤカウンタ記憶エリア１９３、印刷カウンタ記憶エリア１９４が少なくとも設けられている。コンテンツ情報記憶エリア１９１には、コンテンツ自体のデータ、コンテンツを管理するための情報（例えば、コンテンツ名、サイズ、コンテンツＩＤ）からなるコンテンツ情報が記憶されている。機密管理情報記憶エリア１９２には、コンテンツが機密コンテンツであるか否かや、コンテンツを表示させてよいか否かの情報である機密管理情報が記憶されている（図６、図７参照）。ＩＤカウンタ記憶エリア１９３には、コンテンツを識別するためのコンテンツＩＤを割り当てるためのＩＤカウンタが記憶される。印刷カウンタ記憶エリア１９４には、コンテンツ一覧表１００を印刷した回数を計数するための印刷カウンタが記憶される。
【００３５】
次に、図２、図６乃至図８を参照して、機密管理情報記憶エリア１９２及びコンテンツ一覧表について説明する。図６は、図２に示したコンテンツ一覧表１０１が表示された際の機密管理情報記憶エリア１９２１の模式図である。図７は、図２及び図６に示した状態に新たなコンテンツが追加された状態の機密管理情報記憶エリア１９２２の模式図であり、図８は、図７に示した機密管理情報記憶エリア１９２２の状態で印刷されたコンテンツ一覧表１０２の模式図である。図６及び図７に示すように、機密管理情報記憶エリア１９２には、コンテンツＩＤ欄、コンテンツ名欄、フォルダ欄、機密欄及び閲覧欄が少なくとも設けられている。
【００３６】
図６に示す例では、コンテンツＩＤがＤ１０１」、コンテンツ名が「コンテンツ１」であり、フォルダＡに仕分けられたコンテンツは、機密欄が「要」となっているので、機密コンテンツである。コンテンツＩＤがＤ１０２」、コンテンツ名が「コンテンツ２」であり、フォルダＡに仕分けられたコンテンツは、機密欄が「不要」となっているので、機密コンテンツでない。コンテンツＩＤがＤ１０３」、コンテンツ名が「コンテンツ３」であり、フォルダＢに仕分けられたコンテンツは、機密欄が「不要」となっているので、機密コンテンツでない。コンテンツＩＤがＤ１０４」、コンテンツ名が「コンテンツ４」であり、フォルダＢに仕分けられたコンテンツは、機密欄が「要」となっているので、機密コンテンツである。なお、コンテンツ一覧表１０１が印刷されているので、全コンテンツの閲覧欄は閲覧可能（○）となっている。
【００３７】
この図６に示した機密管理情報記憶エリア１０２１の状態にコンテンツ名「コンテンツ５」及び「コンテンツ６」の２つのコンテンツが追加されると、図７に示す機密管理情報記憶エリア１９２２に示す状態となる。なお、ＰＣ２からは、コンテンツ名、コンテンツ自体のデータ、機密であるか否かを示す情報（以下、「機密情報」という）、仕分ける先のフォルダを指定する情報が少なくとも送信される。ここでは、「コンテンツ５」は、機密コンテンツであり、フォルダＡに仕分けるのもとされており、「コンテンツ６」は、機密コンテンツでなく、フォルダＢに仕分けるものとされているものとする。そこで、図７に示すように、図６に示した機密管理情報記憶エリア１９２１に加えて、コンテンツＩＤが「Ｄ１０５」、コンテンツ名が「コンテンツ５」であり、フォルダＡに仕分けられる機密コンテンツは、機密欄が「要」となっている。そして、コンテンツは追加された直後であり、コンテンツ一覧表１００は印刷されていないので、閲覧欄は閲覧不可（×）となっている。コンテンツＩＤが「Ｄ１０６」、コンテンツ名が「コンテンツ６」であり、フォルダＢに仕分けられるコンテンツは、機密欄が「不要」となっている。そして、コンテンツは追加された直後であり、コンテンツ一覧表１００は印刷されていないが、機密コンテンツでないので、閲覧欄は閲覧可能（○）となっている。
【００３８】
そして、図７に示す機密管理情報記憶エリア１９２２の状態でコンテンツ一覧表１０２（図８参照）が印刷されると、機密管理情報記憶エリア１９２２のコンテンツ名「コンテンツ５」の閲覧欄は「閲覧可能（○）」に変更される。
【００３９】
次に、図９乃至１７のフローチャートを参照して、閲覧端末１で行われる処理について説明する。図９は、閲覧端末１で実施されるメイン処理のフローチャートである。図１０は、メイン処理、コンテンツ決定処理、頁めくり処理の中で実施される一覧表示処理のフローチャートであり、図１１は、メイン処理の中で実施されるコンテンツ受信処理のフローチャートであり、図１２は、コンテンツ受信処理及びキー入力処理の中で実施される一覧印刷処理のフローチャートであり、図１３は、メイン処理の中で実施されるキー入力処理のフローチャートである。図１４は、キー入力処理の中で実施されるコンテンツ選択処理のフローチャートであり、図１５は、キー入力処理の中で実施されるコンテンツ決定処理のフローチャートであり、図１６は、キー入力処理の中で実施される頁めくり処理のフローチャートである。図１７は、キー入力処理の中で実施される機密要否変更処理のフローチャートである。
【００４０】
図９に示すメイン処理は、閲覧端末１の電源が投入され、種々の初期処理が終了すると開始される。まず、一覧表示処理が行われる（Ｓ１、図１０参照）。図１０に示すように、この一覧表示処理では、まず、メモリカード１９のコンテンツ情報記憶エリア１９１に記憶されている全てのコンテンツのコンテンツＩＤが取得され、機密管理情報記憶エリア１９２に記憶されている機密管理情報から、取得されたコンテンツＩＤの機密欄の値が取得される（Ｓ１１）。そして、印刷カウンタ記憶エリア１９４に記憶されている印刷カウンタの値が取得される（Ｓ１２）。そして、Ｓ１１で取得されたコンテンツ名及び機密欄の値、Ｓ１２で取得された印刷カウンタの値に基づいてコンテンツ一覧画面１５１が表示部１５に表示される（Ｓ１３）。ここで機密欄の値が機密コンテンツであることを示している場合には、図２に示す例のように、コンテンツ名の右に「機密」の文字が表示される。そして、一覧表示処理を実行させた処理へ戻る。ここでは、メイン処理が実行させているので、メイン処理へ戻る。
【００４１】
図９に示すように、メイン処理では、一覧表示処理が行われると（Ｓ１、図１０参照）、電源ＯＦＦが実行されたか否かの判断が行われる（Ｓ２）。電源ＯＦＦが実行されていなければ（Ｓ２：ＮＯ）、キー入力処理が行われる（Ｓ３、図１２参照）。このキー入力処理では、操作キー１６の入力が行われた場合に、それに応じた処理が行われる。キー入力処理については、図１３乃至図１７を参照して、後述する。キー入力処理が行われると（Ｓ３）、ＰＣ２からコンテンツを受信したか否かの判断が行われる（Ｓ４）。ＰＣ２からコンテンツを受信した場合には（Ｓ４：ＹＥＳ）、コンテンツ受信処理が行われる（Ｓ５、図１１参照）。そして、Ｓ２へ戻る。このコンテンツ受信処理では、ＰＣ２から送信されたコンテンツをメモリカード１９に記憶し、受信したコンテンツについての機密管理情報を追加する。コンテンツ受信処理については、図１１を参照して、後述する。
【００４２】
また、コンテンツを受信していない場合には（Ｓ４：ＮＯ）、Ｓ２へ戻り、電源ＯＦＦが実行されたか否かの判断が行われる（Ｓ２）。そして、電源ＯＦＦが実行されるまでの間は（Ｓ２：ＮＯ）、Ｓ２〜Ｓ５の処理が繰り返し実行される。電源ＯＦＦが実行された場合には（Ｓ２：ＹＥＳ）、閲覧端末１の電源をＯＦＦするための種々の処理が行われた後、電源がＯＦＦされる。
【００４３】
次に、図１１を参照して、コンテンツ受信処理について説明する。まず、一覧印刷フラグがＯＦＦとされる（Ｓ２１）。この一覧印刷フラグは、コンテンツ一覧表１００を印刷するか否かを示すフラグであり、ＲＡＭ１２に一覧印刷フラグ記憶エリア（図示外）が設けられている。一覧印刷フラグ記憶エリアに０が記憶されている場合にはＯＦＦを示し、１が記憶されている場合にはＯＮを示す。次いで、受信したコンテンツの全てのコンテンツを処理したか否かの判断が行われる（Ｓ２２）。ＰＣ２から受信したデータは、ＲＡＭ１２に設けられている受信バッファ記憶エリア（図示外）に記憶される。ここに記憶されているコンテンツの数（受信数）と、メモリカード１９のコンテンツ情報記憶エリア１９１に記憶させたコンテンツの数（処理数）を比較し、処理数が受信数に等しければ、全てのコンテンツを処理したと判断される（Ｓ２２：ＹＥＳ）。なお、コンテンツをコンテンツ情報記憶エリア１９１に記憶する都度（Ｓ２５，Ｓ２７）ＲＡＭ１２に設けられている処理数記憶エリア（図示外）に「１」加算されて、コンテンツ情報記憶エリア１９１に記憶されたコンテンツの数が計数される。
【００４４】
全てのコンテンツが処理されていなければ（Ｓ２２：ＮＯ）、ＩＤカウンタ記憶エリア１９３に記憶されているＩＤカウンタに「１」が加算される（Ｓ２３）。そして、処理中のコンテンツ機密コンテンツであるか否かの判断が行われる（Ｓ２４）。受信したコンテンツの機密情報が機密を示す値であれば（Ｓ２４：ＹＥＳ）、処理中のコンテンツは機密コンテンツであるので、一覧印刷フラグがＯＮとされる（Ｓ２６）。これにより、コンテンツ一覧表１００が印刷されることになる。そして、「閲覧不可」でコンテンツがメモリカード１９に記憶される（Ｓ２７）。具体的には、コンテンツ自体のデータやコンテンツ名のコンテンツ情報がコンテンツ情報記憶エリア１９１に記憶される。さらに、機密管理情報記憶エリア１９２のコンテンツＩＤ欄を、「Ｄ」にＩＤカウンタの値を続けた値（ＩＤカウンタ＝１０５であれば、「Ｄ１０５」）とした情報が追加される。そして、コンテンツ名欄、フォルダ欄には受信したデータの示す値がそれぞれ記憶され、機密欄には、機密コンテンツを示す値が記憶される。そして、Ｓ２２へ戻り、次のコンテンツの処理が行われる。
【００４５】
一方、機密情報が機密コンテンツであることを示していなければ（Ｓ２４：ＮＯ）、「閲覧可能」でコンテンツがメモリカード１９に記憶される（Ｓ２５）。具体的には、コンテンツ自体のデータやコンテンツ名のコンテンツ情報がコンテンツ情報記憶エリア１９１に記憶される。さらに、機密管理情報記憶エリア１９２のコンテンツＩＤ欄を、「Ｄ」にＩＤカウンタの値を続けた値（ＩＤカウンタ＝１０５であれば、「Ｄ１０５」）とした情報が追加される。そして、コンテンツ名欄、フォルダ欄には受信したデータの示す値がそれぞれ記憶され、機密欄には、機密コンテンツでないことを示す値が記憶される。そして、Ｓ２２へ戻り、次のコンテンツの処理が行われる。
【００４６】
繰り返し、Ｓ２２〜Ｓ２７の処理が行われ、全てのコンテンツの処理が終了したら（Ｓ２２：ＹＥＳ）、一覧印刷フラグがＯＮであるか否かにより、コンテンツ一覧表を印刷するか否かの判断が行われる（Ｓ２８）。受信したコンテンツの中に機密コンテンツが一つもなく、一覧印刷フラグがＯＦＦのままである場合には（Ｓ２８：ＮＯ）、メイン処理へ戻り、メイン処理のＳ２へ戻る。また、受信したコンテンツの中に機密コンテンツがあり、一覧印刷フラグがＯＮとされている場合には（Ｓ２８：ＹＥＳ）、一覧印刷処理が行われる（Ｓ２９、図１２参照）。そして、メイン処理へ戻り、メイン処理のＳ２へ戻る。
【００４７】
ここで、図１２を参照して、一覧印刷処理について説明する。図１２に示すように、一覧印刷処理では、まず、印刷装置３を接続しているか否かの判断が行われる（Ｓ３１）。印刷装置３を接続していなければ（Ｓ３１：ＮＯ）、コンテンツ一覧表１００を印刷することはできないので、「印刷装置に接続されていません」等のメッセージが表示部１５に表示される（Ｓ３８）。そして、ユーザがメッセージを確認した旨の入力（例えば、操作キー１６のいずれかの押下）が行われると、メッセージ表示前の画面を表示させる処理が行われる（Ｓ３９）。そして、一覧印刷処理は終了し、一覧印刷処理を実行した処理へ戻る。ここでは、コンテンツ受信処理により一覧印刷処理が実行されているので、Ｓ３９では、一覧表示処理が行われてコンテンツ一覧画面１５１が表示部１５に表示され（Ｓ３９）、コンテンツ受信処理へ戻る。
【００４８】
また、印刷装置３が接続されていれば（Ｓ３１：ＹＥＳ）、メモリカード１９のコンテンツ情報記憶エリア１９１に記憶されている全てのコンテンツのコンテンツ名、及び、機密管理情報記憶エリア１９２に記憶されている機密欄の値が取得される（Ｓ３２）。そして、印刷カウンタ記憶エリア１９４に記憶されている印刷カウンタに「１」加算され（Ｓ３３）、その印刷カウンタの値が取得される（Ｓ３４）。なお、印刷カウンタの値は、閲覧端末１の出荷時やリセット処理後には「０」とされる。そして、Ｓ３２で取得されたコンテンツ名及び機密欄の値、Ｓ３４で取得された印刷カウンタの値に基づいてコンテンツ一覧表１００を印刷するための印刷データが作成される（Ｓ３５）。そして、作成された印刷データが印刷装置３へ送信される（Ｓ３６）。次いで、機密管理情報記憶エリア１９２の閲覧欄が全て「閲覧可能」を示す値とされる（Ｓ３７）。そして、一覧印刷処理は終了し、一覧印刷処理を実行した処理へ戻る。ここでは、コンテンツ受信処理により一覧印刷処理が実行されているので、コンテンツ受信処理へ戻る。
【００４９】
このように、閲覧端末１では、ＰＣ２からコンテンツを受信した際に、機密コンテンツが含まれればコンテンツ一覧表１００を自動的に印刷する。そして、コンテンツ一覧表１００が印刷されたので、新たに受信した機密コンテンツは「閲覧可能」とされる。ただし、印刷装置３が閲覧端末１に接続していない場合には、印刷不可能なのでコンテンツ一覧表１００の印刷は実行されない。そして、コンテンツ一覧表１００が印刷されていないので、機密コンテンツは「閲覧不可」のままとされる。よって、ユーザがコンテンツ一覧表１００で機密コンテンツであることを認識する前に、閲覧端末１でその機密コンテンツが閲覧されることはない。また、受信したコンテンツの中に機密コンテンツが含まれない場合には、一覧印刷フラグがＯＦＦとされており、コンテンツ一覧表１００が印刷されることはない。よって、過剰なコンテンツ一覧表１００の印刷が抑制される。
【００５０】
次に、図１３乃至図１７を参照して、キー入力処理について説明する。図１３に示すように、キー入力処理では、まず、十字キー１６５の上凸部又は下凸部が押下されて、コンテンツの選択操作が行われたか否かの判断が行われる（Ｓ４１）。コンテンツの選択操作が行われたら（Ｓ４１：ＹＥＳ）、コンテンツ選択処理が行われる（Ｓ５１、図１４参照）。図１４に示すように、コンテンツ選択処理では、まず、表示部１５にコンテンツ一覧画面１５１が表示されているか否かの判断が行われ（Ｓ６１）、表示されていれば（Ｓ６１：ＹＥＳ）、選択コンテンツの更新が行われる（Ｓ６２）。ＲＡＭ１２の所定の記憶エリアには、表示部１５に表示されている画面がどの画面を表示しているかの情報が記憶されている。例えば、コンテンツ一覧画面、コンテンツの内容を表示した画面である。そして、コンテンツ一覧画面を表示している場合には、ＲＡＭ１２の所定の記憶エリアに、カーソルがどのコンテンツを選択しているか（カーソル選択コンテンツ）の情報が記憶されている。Ｓ６２では、十字キー１６５の操作に応じて、上凸部が押下されれば、１つ前のコンテンツがカーソル選択コンテンツとされ、下凸部が押下されれば、１つ後のコンテンツがカーソル選択コンテンツとされる。そして、キー入力処理へ戻る。
【００５１】
なお、コンテンツ一覧画面が表示されていない場合には（Ｓ６１：ＮＯ）、本実施の形態では、十字キー１６５の上凸部又は下凸部の押下に応じた処理は設定されていないので、何もせずにキー入力処理へ戻る。
【００５２】
また、キー入力処理（図１３参照）において、コンテンツの選択操作が行われていない場合には（Ｓ４１：ＮＯ）、決定キー１６１が押下されて、コンテンツ決定操作が行われたか否かの判断が行われる（Ｓ４２）。コンテンツ決定操作が行われた場合には（Ｓ４２：ＹＥＳ）、コンテンツ決定処理が行われる（Ｓ５２、図１５参照）。コンテンツ決定処理では、コンテンツ一覧画面１５１でのカーソル選択コンテンツの最初の頁を表示部１５に表示させる。図１４に示すように、コンテンツ決定処理では、まず、表示部１５にコンテンツ一覧画面１５１が表示されているか否かの判断が行われ（Ｓ７１）、表示されていれば（Ｓ７１：ＹＥＳ）、機密管理情報記憶エリア１９２が参照され、カーソル選択コンテンツの閲覧欄が「閲覧可能」を示しているか否かの判断が行われる（Ｓ７２）。「閲覧可能」であれば（Ｓ７２：ＹＥＳ）、メモリカード１９のコンテンツ情報記憶エリア１９１からコンテンツ自体のデータが取得され（Ｓ７３）、１ページ目が表示部１５に表示される（Ｓ７４）。そして、キー入力処理へ戻り、メイン処理へ戻る。
【００５３】
一方、カーソル選択コンテンツの閲覧欄が「閲覧不可」であり、「閲覧可能」を示していない場合には（Ｓ７２：ＮＯ）、「一覧印刷を行ってください」のメッセージが表示される（Ｓ７５）。そして、ユーザがメッセージを確認した旨の入力（例えば、操作キー１６のいずれかの押下）が行われると、一覧表示処理が行われる（Ｓ７６、図１０参照）。前述したように、一覧表示処理では、コンテンツ一覧画面１５１が表示部１５に表示される。一覧表示処理が終了すると、コンテンツ決定処理へ戻り、キー入力処理へ戻り、メイン処理へ戻る。なお、コンテンツ一覧画面が表示されていない場合には（Ｓ７１：ＮＯ）、本実施の形態では、決定キー１６１の押下に応じた処理は設定されていないので、何もせずにキー入力処理へ戻る。
【００５４】
このように、コンテンツ一覧画面１５１で、決定キー１６１が押下されて、カーソル選択コンテンツの閲覧が指示されても、そのコンテンツが機密コンテンツであれば、機密管理情報の閲覧欄が「閲覧可能」とされていなければ、表示部１５に表示されない。機密コンテンツの閲覧欄は、コンテンツ一覧表１００に機密コンテンツであることを印刷していなければ「閲覧可能」とされないので、コンテンツ一覧表１００を印刷する前に、機密コンテンツが表示部１５に表示されることがない。
【００５５】
また、キー入力処理（図１３）において、コンテンツ決定操作が行われていない場合には（Ｓ４２：ＮＯ）、十字キー１６５の左凸部又は右凸部が押下されて、頁めくり操作が行われたか否かの判断が行われる（Ｓ４３）。頁めくりが行われた場合には（Ｓ４３：ＹＥＳ）、頁めくり処理が行われる（Ｓ５３、図１６参照）。頁めくり処理では、コンテンツが表示部１５に表示されている際に、頁をめくる処理が行われる。図１６に示すように、まず、表示部１５にコンテンツがが表示されているか否かの判断が行われる（Ｓ８１）。前述のように、ＲＡＭ１２の所定の記憶エリアには、表示部１５に表示されている画面がどの画面を表示しているかの情報が記憶されている。そして、コンテンツが表示されている場合には、表示中のコンテンツのコンテンツＩＤ、表示中のページ数がＲＡＭ１２の所定の記憶エリアに記憶されている。
【００５６】
コンテンツが表示部１５に表示されていれば（Ｓ８１：ＹＥＳ）、ＲＡＭ１２に記憶されている表示中ページの値が、十字キー１６５の操作に応じて、左凸部が押下されれば、１つ前のページが表示ページとされ、右凸部が押下されれば、１つ後のページが表示ページとされる（Ｓ８２）。そして、キー入力処理へ戻る。また、コンテンツが表示部１５に表示されていなければ（Ｓ８１：ＮＯ）、本実施の形態では、十字キー１６５の左凸部又は右凸部の押下に応じた処理は設定されていないので、何もせずにキー入力処理へ戻る。
【００５７】
また、キー入力処理（図１３）において、頁めくり操作が行われていない場合には（Ｓ４３：ＮＯ）、一覧表示キー１６３が押下されて、一覧表示操作が行われたか否かの判断が行われる（Ｓ４４）。一覧表示が行われた場合には（Ｓ４４：ＹＥＳ）、一覧表示処理が行われる（Ｓ５４、図１０参照）。前述したように、一覧表示処理では、コンテンツ一覧画面１５１が表示部１５に表示される。一覧表示処理が終了すると、キー入力処理へ戻り、メイン処理へ戻る。
【００５８】
また、キー入力処理（図１３）において、一覧表示操作が行われていない場合には（Ｓ４４：ＮＯ）、一覧印刷キー１６２が押下されて、一覧印刷操作が行われたか否かの判断が行われる（Ｓ４５）。一覧印刷が行われた場合には（Ｓ４５：ＹＥＳ）、一覧印刷処理が行われる（Ｓ５５、図１２参照）。前述したように、一覧印刷処理では、印刷装置３が接続されていれば、コンテンツ一覧表１００が印刷される。そして、一覧印刷処理が終了すると、キー入力処理へ戻り、メイン処理へ戻る。
【００５９】
また、キー入力処理（図１３）において、一覧印刷操作が行われていない場合には（Ｓ４５：ＮＯ）、機密変更キー１６４が押下されて、機密変更操作が行われたか否かの判断が行われる（Ｓ４６）。機密変更が行われた場合には（Ｓ４６：ＹＥＳ）、機密変更処理が行われる（Ｓ５６、図１７参照）。図１７に示すように、機密変更処理では、コンテンツ一覧画面１５１のカーソル選択コンテンツが機密コンテンツでない場合に、カーソル選択コンテンツを機密コンテンツに設定する。
【００６０】
まず、表示部１５にコンテンツ一覧画面１５１が表示されているか否かの判断が行われ（Ｓ９１）、表示されていれば（Ｓ９１：ＹＥＳ）、機密管理情報記憶エリア１９２が参照され、カーソル選択コンテンツの機密欄が「機密コンテンツ」であることを示しているか否かの判断が行われる（Ｓ９２）。カーソル選択コンテンツが機密コンテンツであれば（Ｓ９２：ＹＥＳ）、機密コンテンツに変更する必要はないので、「機密設定済みです」のメッセージが表示される。そして、ユーザがメッセージを確認した旨の入力（例えば、操作キー１６のいずれかの押下）が行われると、一覧表示処理が行われる（Ｓ９６）。そして、機密変更処理は終了し、キー入力処理へ戻る。
【００６１】
一方、カーソル選択コンテンツが機密コンテンツでなければ（Ｓ９２：ＮＯ）、機密管理情報記憶エリア１９２のカーソル選択コンテンツの機密欄が、「機密コンテンツ」であることを示す値に変更される（Ｓ９４）。そして、閲覧欄が「閲覧不可」を示す値に変更される（Ｓ９５）。そして、一覧表示処理が行われる（Ｓ９６）。そして、機密変更処理は終了し、キー入力処理へ戻る。
【００６２】
また、キー入力処理（図１３）において、機密変更操作が行われていない場合には（Ｓ４６：ＮＯ）、キー入力は行われていないので、キー入力処理は終了し、メイン処理へ戻る。以上のようにして、キー入力処理では、操作キー１６の入力に応じた処理が行われる。
【００６３】
このように、本実施の形態の閲覧端末１では、コンテンツに対応して、そのコンテンツが機密コンテンツであるか否かの情報が機密管理情報として記憶されている（図６，図７参照）。そして、機密コンテンツは、コンテンツ一覧表１００（図２，図８参照）が印刷されていないと、表示部１５に表示されない。よって、ユーザが、機密コンテンツであることを認識しないままに、閲覧してしまうことがない。ユーザは、コンテンツ一覧表１００により、閲覧端末１のどのコンテンツが機密であるか認識できるので、閲覧端末１を携帯する際に、どのような機密を持ち歩いているかを認識することができ、機密漏洩の防止の一助となる。
【００６４】
なお、上記実施の形態の機密管理情報記憶エリア１９２の閲覧欄の値が「可否情報」に該当し、機密欄の値が「機密指定情報」に該当する。そして、機密管理情報記憶エリア１９２が本発明の「可否情報記憶手段」及び「機密指定情報記憶手段」に該当する。メモリカード１９の印刷カウンタ記憶エリア１９４が本発明の「通し番号記憶手段」に該当する。図１３に示すキー入力処理のＳ４２で決定キーの入力を受け付け、図１５に示すコンテンツ決定処理のＳ７１でコンテンツ一覧画面１５１が表示中であるか否かの判断する処理を行うＣＰＵ１０が本発明の「出力指示受付手段」に相当する。図１５に示すコンテンツ決定処理のＳ７２，Ｓ７３，Ｓ７４で機密管理情報記憶エリア１９２の機密欄の値が「閲覧可能」である場合にのみ、コンテンツデータを取得して、表示部１５に表示させる処理を行うＣＰＵ１０が本発明の「出力制御手段」に相当する。図９に示すメイン処理のＳ４でコンテンツの受信を検知する処理を行うＣＰＵ１０が「新規コンテンツ取得手段」に相当する。図１１に示すコンテンツ受信処理のＳ２５，Ｓ２６でコンテンツ情報をコンテンツ情報記憶エリア１９１に記憶する処理を行うＣＰＵ１０が本発明の「新規コンテンツ記憶制御手段」に相当する。Ｓ２７で機密管理情報記憶エリア１９２の閲覧欄に「閲覧不可」を示す値を記憶するＣＰＵ１０が本発明の「可否情報記憶制御手段」に相当する。
図１２に示す一覧印刷処理のＳ３５，Ｓ３６でコンテンツ一覧表１００を印刷するための印刷データを作成し、印刷装置３に送信する処理を行うＣＰＵ１０が本発明の「印刷要求出力手段」に相当する。図１２に示す一覧印刷処理のＳ３７で、印刷データを送信（Ｓ３６）した後に、機密管理情報記憶エリア１９２の閲覧欄の値を「閲覧可能」に示す処理を行うＣＰＵ１０が本発明の「可否情報変更手段」に相当する。
【００６５】
図１１に示すコンテンツ受信処理のＳ２５，Ｓ２７で機密管理情報記憶エリア１９２の機密欄にコンテンツと共に受信した機密情報を記憶する処理を行うＣＰＵ１０が本発明の「機密指定情報記憶制御手段」に相当する。図１２に示す一覧印刷処理のＳ３３でメモリカード１９の印刷カウンタ記憶エリア１９４に記憶されている印刷カウンタに加算する処理を行うＣＰＵ１０が本発明の「通し番号割当手段」に相当する。メモリカード１９の印刷カウンタ記憶エリア１９４が本発明の「通し番号記憶手段」に該当する。図１１に示すコンテンツ受信処理のＳ２１，Ｓ２６，Ｓ２８で、一覧印刷フラグのＯＮ／ＯＦＦを制御し、一覧印刷フラグがＯＮの場合にのみ一覧印刷処理を行うＣＰＵ１０が本発明の「出力制御手段」に相当する。図１７に示す機密変更処理のＳ９２〜Ｓ９５で機密でないコンテンツを機密コンテンツとする処理を行うＣＰＵ１０が本発明の「機密指定情報変更手段」に相当する。
【００６６】
なお、本発明の携帯端末及び携帯端末プログラムは、上記した実施の形態に限定されるものではなく、本発明の要旨を逸脱しない範囲内において種々変更を加え得ることは勿論である。上記実施の形態では、「携帯端末」として閲覧端末１を例に挙げ、コンテンツとして文書（文字列）を扱ったが、「携帯端末」はこれらのコンテンツを扱う閲覧端末１に限らず、コンテンツも文書や画像に限らない。例えば、コンテンツとして、文書だけでなく、画像（静止画、動画）を含むコンテンツを扱ってもよい。また、音声の情報を含むコンテンツを扱ってもよい。例えば、楽曲を録音した音楽データや、会議や講演会などを録音機で録音した録音データである。また、音声を含む動画をコンテンツとして扱ってもよい。また、文書に音声を付属させたコンテンツ（例えば、文書中に音声付動画が含まれていたり、文字列に音声が付属されておりその文字を選択すると音声が出力されたりする）を扱ってもよい。このような場合には、「携帯端末」に変換器やスピーカといった音声出力のための機構を備える必要がある。このように、文書、画像、音声の様々な情報が組み合わされていたり、文書のみ、画像のみ、音声のみ単独であったりするコンテンツを扱う携帯端末に対しても本発明の携帯端末は適応可能である。
【００６７】
また、上記実施の形態では、メモリカード１９を用いたが、閲覧端末１にＨＤＤを搭載し、メモリカード１９に記憶させていた情報をＨＤＤに記憶させてもよい。また、上記実施の形態では、表示部１５の右下に常にコンテンツ一覧表１００の印刷回数を表示させているものとしたが、印刷回数は常に表示していなくともよい。例えば、コンテンツを表示している際には、印刷回数を表示せず、コンテンツ一覧画面１５１を表示しているときのみ表示させるようにしてもよい。
【００６８】
また、上記実施の形態では、一覧印刷キー１６２，一覧表示キー１６３，機密変更キー１６４を設けて、種々の指示を行ったが、これらの指示をするために必ずしも専用のキーを設けなくともよい。例えば、メニュー画面を表示させ、メニュー画面に一覧印刷メニュー，一覧表示メニュー，機密変更メニューを表示させ、十字キー１６５及び決定キー１６１を操作することにより、メニューを選択させ、指示を入力させるようにしてもよい。
【００６９】
また、上記実施の形態では、閲覧端末１において、機密コンテンツと機密でないコンテンツを扱ったが、全てのコンテンツを機密コンテンツとしてもよい。この場合には、機密管理情報記憶エリア１９２の機密欄は不要となる。そして、図１１に示すコンテンツ受信処理のＳ２４での「機密コンテンツであるか否か」の判断も不要となり、受信したコンテンツに対しては全て、Ｓ２６，２７の処理が行われる。そして、機密変更キー１６４は不要となり、図１３のキー入力処理のＳ４６，Ｓ５６，図１７に示した機密変更処理は行われない。
【００７０】
また、閲覧端末１を使用する際に、コンテンツ一覧表１００が最新のものであることを確認させるようにしてもよい。このような場合における機密管理情報記憶エリア１９２９，メイン処理、一覧印刷処理について、図１８乃至図２１を参照して説明する。図１８は、変形例の機密管理情報記憶エリア１９２９の模式図であり、図１９は、変形例のメモリカード１９に設けられている記憶エリアを示す模式図である。図２０は、変形例のメイン処理のフローチャートであり、図２１は、変形例の一覧印刷処理である。なお、このパスワード入力により最新のコンテンツ一覧表１００の存在を確認する変形例の場合、パスワードを入力するために、閲覧端末１には数字入力キーを設けたり、表示部１５に重ねてタッチパネルを設けたりする。また、コンテンツ一覧表１００には、印刷回数に加えて、パスワードが記載される。
【００７１】
図１８に示すように、この変形例の機密管理情報記憶エリア１９２９では、コンテンツ毎に待ちフラグ欄が設けられている。この待ちフラグは、ＯＮである場合に「１」が記憶されており、パスワード入力待ちであることを示している。一方、ＯＦＦである場合には「０」が記憶されており、パスワード入力待ちでないことを示している。図１９に示すように、メモリカード１９には、上記実施の形態に加えて、パスワード記憶エリア１９５が設けられている。このパスワード記憶手段１９５が本発明の「一覧表識別情報記憶手段」に該当する。
【００７２】
図２０に示すように、この変形例のメイン処理では、まず、パスワード入力画面（図示外）が表示部１５に表示される（Ｓ１０１）。そして、パスワード入力が待機される（Ｓ１０２）。パスワード入力画面には、パスワード入力欄、印刷カウンタ、パスワード入力のための数字及びアルファベットの表が表示される。印刷カウンタは、印刷カウンタ記憶エリア１９４に記憶されている値が表示される。パスワード入力欄には、数字及びアルファベットの表において数字又はアルファベットが表示されている位置をユーザがタッチすると、その値が入力される。そして、決定キー１６１が押下されると、入力が確定される。そして、入力されたパスワードが正しいパスワードであるか否かの判断が行われる（Ｓ１０３）。なお、パスワードは、コンテンツ一覧表１００が印刷される毎に設定され、メモリカード１９に設けられているパスワード記憶エリア（図示外）に記憶される。よって、ユーザは、印刷回数がパスワード入力画面に表示されている印刷カウンタの値であるコンテンツ一覧表１００に記載されているパスワードを入力すればよい。
【００７３】
入力されたパスワードが正しいものであれば（Ｓ１０３：ＹＥＳ）、待ちフラグがＯＮであるコンテンツ（機密コンテンツがこれに該当する）の閲覧欄へ「閲覧可能」を示す値が記憶される（Ｓ１０４）。そして、待ちフラグがＯＮのコンテンツの待ちフラグがＯＦＦとされる（Ｓ１０５）。そして、Ｓ１０６へ進む。一方、パスワードが正しいものでない場合には（Ｓ１０３：ＮＯ）、機密コンテンツを閲覧可能としてはならないので、そのままＳ１０６へ進む。
【００７４】
Ｓ１０６では、一覧表示処理（図１０参照）が行われ、表示部１５にコンテンツ一覧画面が表示される。そして、電源ＯＦＦの指示が行われるまでは（Ｓ１０７：ＮＯ）、キー入力処理（Ｓ１０８）、コンテンツ受信に対する処理（Ｓ１０９，Ｓ１１０）が繰り返し実行される。そして、電源ＯＦＦの指示が行われた場合には（Ｓ１０７：ＹＥＳ）、全ての機密コンテンツが「閲覧不可」とされ（Ｓ１１１）、待ちフラグがＯＮとされた後に（Ｓ１１２）、電源ＯＦＦのための各種処理が行われて、閲覧端末１の電源がＯＦＦされる。具体的には、機密管理情報記憶エリア１９２９の機密欄が機密コンテンツであることを示しているデータの閲覧欄が「閲覧不可」とされ（Ｓ１１１）、待ちフラグ欄がＯＮとされる（Ｓ１１２）。
【００７５】
これにより、閲覧端末１の電源がＯＦＦされる毎に機密コンテンツは「閲覧不可」とされ、次に電源を投入した際に、パスワードの確認が行われる。そこで、パスワードが一致して、一覧表１００の存在が確認された場合には（Ｓ１０３：ＹＥＳ）、「閲覧可」とされるように制御されている。一方、パスワードが一致しない場合には（Ｓ１０３：ＮＯ）、閲覧欄は変更されないので、機密コンテンツは「閲覧不可」のままとなる。つまり、パスワードが一致しない場合には、「閲覧不可」となるように制御されている。したがって、電源を投入した際に、最新のコンテンツ一覧表１００に記載されているパスワードを入力しないと、ユーザは機密コンテンツを閲覧することはできない。よって、コンテンツ一覧表１００を見ることができない第三者が閲覧端末１を使用しようとしても機密コンテンツを閲覧することはできない。したがって、機密漏洩を防止することができる。なお、コンテンツ一覧表１００の印刷回数をパスワードとして扱ってもよい。つまり、わざわざパスワードを割り当て、コンテンツ一覧表１００に印刷するのではなく、最新のコンテンツ一覧表１００の印刷回数を入力させ、印刷回数カウンタの値と照合してもよい。これにより、印刷回数と照合する場合、図１２に示す一覧印刷処理のＳ３３でメモリカード１９の印刷カウンタ記憶エリア１９４に記憶されている印刷カウンタに加算する処理を行うＣＰＵ１０が本発明の「一覧表識別情報割当手段」に該当する。
【００７６】
次に、図２１を参照して、本変形例の一覧印刷処理について説明する。まず、印刷装置３を接続しているか否かの判断が行われる（Ｓ１２１）。印刷装置３を接続していない場合（Ｓ１２１：ＮＯ）の処理は、図１２に示した上記実施の形態と同様であり、「印刷装置に接続されていません」のメッセージが表示され（Ｓ１２９）、メッセージ表示前の画面に戻される（Ｓ１３０）。そして、一覧印刷処理は終了する。
【００７７】
印刷装置３を接続している場合には（Ｓ１２１：ＹＥＳ）、まず、パスワードが更新される（Ｓ１２２）。具体的には、新たなパスワードが決定され、メモリカード１９のパスワード記憶エリアに記憶される。新たなパスワードは、例えば、乱数を用いて決定したり、現在日時を用いて決定したり、印刷カウンタの値を用いて決定する。そして、メモリカード１９のコンテンツ情報記憶エリア１９１に記憶されている全てのコンテンツのコンテンツ名、及び、機密管理情報記憶エリア１９２に記憶されている機密欄の値が取得される（Ｓ１２３）。そして、印刷カウンタ記憶エリア１９４に記憶されている印刷カウンタに「１」加算され（Ｓ１２４）、その印刷カウンタの値が取得される（Ｓ１２５）。そして、Ｓ１２３で取得されたコンテンツ名及び機密欄の値、Ｓ１２５で取得された印刷カウンタの値、Ｓ１２２で決定された新たなパスワードに基づいてコンテンツ一覧表１００を印刷するための印刷データが作成される（Ｓ１２６）。そして、作成された印刷データが印刷装置３へ送信される（Ｓ１２７）。次いで、機密管理情報記憶エリア１９２の閲覧欄が全て「閲覧可能」を示す値とされる（Ｓ１２８）。そして、一覧印刷処理は終了し、一覧印刷処理を実行した処理へ戻る。
【００７８】
このようにして、コンテンツ一覧表１００が印刷される毎に新たなパスワードが設定され、コンテンツ一覧表１００にはそのパスワードが記載される。なお、上記変形例のメイン処理では、閲覧端末１の電源ＯＦＦ時に全機密コンテンツを「閲覧不可」とし、待ちフラグをＯＮとしているが、電源ＯＮ時に全機密コンテンツを「閲覧不可」とし、待ちフラグをＯＮとしてもよい。
【００７９】
なお、図２０に示す変形例のメイン処理のＳ１０１〜Ｓ１０３で入力されたパスワードと印刷カウンタの値を比較し、一致していることを確認することにより一覧表印刷結果の存在を確認する処理を行うＣＰＵ１０が本発明の「確認手段」に相当する。図２０に示す変形例のメイン処理のＳ１１１，Ｓ１１２で、閲覧端末１の電源ＯＦＦ時に全機密コンテンツを「閲覧不可」とし、待ちフラグをＯＮとして、Ｓ１０３で、電源ＯＮ時にパスワードが正しくないと判断されたら、機密コンテンツを「閲覧可」とする処理を行わないように制御するＣＰＵ１０が本発明の「可否制御手段」に相当する。図２１に示す変形例の一覧印刷処理のＳ２２でパスワードを更新する処理を行うＣＰＵ１０が本発明の「一覧表識別情報割当手段」に相当する。図２０に示す変形例のメイン処理のＳ１０２や図２２に示す変形例のパスワードチェック処理のＳ１４２で、パスワード入力画面へのパスワードの入力を受け付ける処理を行うＣＰＵ１０が本発明の「一覧表識別情報入力手段」に相当する。
【００８０】
また、パスワードは閲覧端末１の起動時だけではなく、所定のタイミングで図２２のフローチャートに示すようなパスワードチェック処理を実施してもよい。又は、電源の起動時にはパスワードのチェックは行わず、所定のタイミングのみパスワードチェックを行い、パスワードが一致しない場合に全ての機密コンテンツを「閲覧不可」としてもよい。なお、所定のタイミングとは、例えば、毎日定時（例えば、９時、１３時）、毎週月曜日の８時３０分といった決まった時間でもよいし、前回コンテンツ一覧表１００を印刷してから（パスワードが設定されてから）、所定時間（例えば、３６時間ごと）経過した際であってもよい。なお、３６時間経過時点で閲覧端末１が起動していない場合には、次に起動された時刻にパスワードチェック処理を実行し、その後次の３６時間経過後に次のパスワードチェック処理を行うようにしてもよい。
【００８１】
このような変形例の場合、図２２に示すパスワードチェック処理が、割り込み処理で所定時間に実施される。まず、パスワード入力画面（図示外）が表示部１５に表示される（Ｓ１４１）。そして、パスワード入力が待機される（Ｓ１４２）。そして、入力されたパスワードが正しいパスワードであるか否かの判断が行われる（Ｓ１４３）。入力されたパスワードが正しいものであれば（Ｓ１４３：ＹＥＳ）、待ちフラグがＯＮであるコンテンツ（機密コンテンツがこれに該当する）の閲覧欄へ「閲覧可能」を示す値が記憶される（Ｓ１４４）。そして、待ちフラグがＯＮのコンテンツの待ちフラグがＯＦＦとされる（Ｓ１４５）。そして、パスワード入力画面を表示する前の画面が表示され（Ｓ１４６）、パスワードチェック処理は終了し、メイン処理の割り込み位置へ戻る。
【００８２】
一方、パスワードが正しいものでない場合には（Ｓ１４３：ＮＯ）、機密コンテンツを閲覧可能としてはならないので、全ての機密コンテンツが「閲覧不可」とされ（Ｓ１４６）、待ちフラグがＯＮとされる（Ｓ１４７）。そして、パスワード入力画面を表示する前の画面が表示され（Ｓ１４６）、パスワードチェック処理は終了し、メイン処理の割り込み位置へ戻る。
【００８３】
このような、割り込み処理によりパスワードをチェックさせることにより、より厳密な閲覧端末１の管理を行うことができるので、情報漏洩防止の一助となる。
【００８４】
また、上記実施の形態では、閲覧端末１を印刷装置３に直接接続してコンテンツ一覧表１００の印刷を行ったが、閲覧端末１は印刷装置３へ接続する機能を有していなくてもよい。この場合には、ＰＣ２を経由してＰＣ２が接続（直接接続、ネットワーク経由接続）している印刷装置にコンテンツ一覧表１００を印刷させる。このような場合には、図２３に示すような一覧印刷処理が行われる。図２３は、変形例の一覧印刷処理のフローチャートである。
【００８５】
図２３に示すように、まず、ＰＣ２に接続しているか否かの判断が行われる（Ｓ２０１）。ＰＣ２に接続していなければ（Ｓ２０１：ＮＯ）。「ＰＣに接続されていません」のメッセージが表示され（Ｓ２０９）、メッセージ表示前の画面に戻される（Ｓ２１０）。そして、一覧印刷処理は終了する。
【００８６】
ＰＣ２に接続していれば（Ｓ２０１：ＹＥＳ）、まず、パスワードが更新される（Ｓ２０２）。そして、メモリカード１９のコンテンツ情報記憶エリア１９１に記憶されている全てのコンテンツのコンテンツ名、及び、機密管理情報記憶エリア１９２に記憶されている機密欄の値が取得される（Ｓ２０３）。そして、印刷カウンタ記憶エリア１９４に記憶されている印刷カウンタに「１」加算され（Ｓ２０４）、その印刷カウンタの値が取得される（Ｓ２０５）。そして、Ｓ２０３で取得されたコンテンツ名及び機密欄の値に基づいてコンテンツ一覧リストが作成される（Ｓ２０６）。そして、Ｓ２０６で作成されたコンテンツ一覧リストと共に、Ｓ２０５で取得された印刷カウンタの値、Ｓ２０２で決定された新たなパスワードがＰＣ２へ送信される（Ｓ２０６）。そして、機密管理情報記憶エリア１９２の閲覧欄が全て「閲覧可能」を示す値とされる（Ｓ２０８）。そして、一覧印刷処理は終了し、一覧印刷処理を実行した処理へ戻る。
【００８７】
また、上記実施の形態では、メモリカード１９は、閲覧端末１の専用として使用するものとして運用しており、コンテンツ一覧表１００の印刷を指示した閲覧端末１を識別していない。しかしながら、メモリカード１９は他の閲覧端末１で使用することも可能である。そこで、コンテンツ一覧表１００を印刷した閲覧端末１を識別するようにしてもよい。具体的には、閲覧端末１を識別するための識別情報を、閲覧端末１のＥＥＰＲＯＭ１３に記憶する。さらに、機密管理情報において、コンテンツ一覧表１００を印刷した閲覧端末１の識別情報を機密コンテンツ毎に記憶する。そして、コンテンツの表示指示が行われた際に行われるコンテンツ決定処理では、表示指示されたコンテンツが機密コンテンツである場合に、機密管理情報において当該表示指示されたコンテンツに対応して自身の識別情報が記憶されているか否かにより、閲覧可否を判断する。これにより、メモリカード１９が複数の閲覧端末１で使用される場合であっても、閲覧端末１毎にコンテンツ一覧表１００の印刷の有無で、閲覧可否が判断されるので、閲覧端末１を使用するユーザ毎に機密コンテンツの確認をさせることができる。
【００８８】
また、上記実施の形態では、一覧印刷キー１６２、一覧表示キー１６３及び機密変更キー１６４で、一覧印刷の指示、一覧表示の指示及び設定変更の指示を行ったが、これらの指示のためにキーを設けず、メニュー画面を表示部１５に表示させ、メニューを選択することにより指示を行うようにしてもよい。また、上記実施の形態では、機密管理情報記憶エリア１９２にフォルダ欄が設けられているが、このフォルダ欄は必ずしも設けられていなくともよい。コンテンツをフォルダで仕分ける場合であっても、フォルダについての情報は他の記憶エリアに記憶してもよいし、フォルダで仕分けを行わない場合には当然フォルダ欄は必要ない。
【図面の簡単な説明】
【００８９】
【図１】閲覧端末１の運用方法を説明するための模式図である。
【図２】コンテンツ一覧表１０１の模式図である。
【図３】閲覧端末１の正面図である。
【図４】閲覧端末１の電気的構成を示す模式図である。
【図５】メモリカード１９に設けられている記憶エリアを示すの模式図である。
【図６】図２に示したコンテンツ一覧表１０１が表示された際の機密管理情報記憶エリア１９２１の模式図である。
【図７】図２及び図６に示した状態に新たなコンテンツが追加された状態の機密管理情報記憶エリア１９２２の模式図である。
【図８】図７に示した機密管理情報記憶エリア１９２２の状態で印刷されたコンテンツ一覧表１０２の模式図である。
【図９】閲覧端末１で実施されるメイン処理のフローチャートである。
【図１０】メイン処理、コンテンツ決定処理、頁めくり処理の中で実施される一覧表示処理のフローチャートである。
【図１１】メイン処理の中で実施されるコンテンツ受信処理のフローチャートである。
【図１２】コンテンツ受信処理及びキー入力処理の中で実施される一覧印刷処理のフローチャートである。
【図１３】メイン処理の中で実施されるキー入力処理のフローチャートである。
【図１４】キー入力処理の中で実施されるコンテンツ選択処理のフローチャートである。
【図１５】キー入力処理の中で実施されるコンテンツ決定処理のフローチャートである。
【図１６】キー入力処理の中で実施される頁めくり処理のフローチャートである。
【図１７】キー入力処理の中で実施される機密要否変更処理のフローチャートである。
【図１８】変形例の機密管理情報記憶エリア１９２９の模式図である。
【図１９】変形例のメモリカード１９に設けられている記憶エリアを示す模式図である。
【図２０】変形例のメイン処理のフローチャートである。
【図２１】変形例の一覧印刷処理である。
【図２２】変形例のメイン処理のフローチャートである。
【図２３】変形例の一覧印刷処理のフローチャートである。
【符号の説明】
【００９０】
１  閲覧端末
２  ＰＣ
３  印刷装置
１０  ＣＰＵ
１５  表示部
１６  操作キー
１９  メモリカード
１００  コンテンツ一覧表
１５１  コンテンツ一覧画面
１９１  コンテンツ情報記憶エリア
１９２  機密管理情報記憶エリア
１９３  ＩＤカウンタ記憶エリア
１９４  印刷カウンタ記憶エリア
【図１】
2009059093.tif 000003
【図２】
2009059093.tif 000004
【図３】
2009059093.tif 000005
【図４】
2009059093.tif 000006
【図５】
2009059093.tif 000007
【図６】
2009059093.tif 000008
【図７】
2009059093.tif 000009
【図８】
2009059093.tif 000010
【図９】
2009059093.tif 000011
【図１０】
2009059093.tif 000012
【図１１】
2009059093.tif 000013
【図１２】
2009059093.tif 000014
【図１３】
2009059093.tif 000015
【図１４】
2009059093.tif 000016
【図１５】
2009059093.tif 000017
【図１６】
2009059093.tif 000018
【図１７】
2009059093.tif 000019
【図１８】
2009059093.tif 000020
【図１９】
2009059093.tif 000021
【図２０】
2009059093.tif 000022
【図２１】
2009059093.tif 000023
【図２２】
2009059093.tif 000024
【図２３】
2009059093.tif 000025